(57)【要約】【課題】本発明が解決しようとする課題は、効率的に景品の現金化が行え、利用者に容易かつ安心して扱える自動景品交換機を提供すると供に、盗難防止や景品の偽物防止に強い景品交換機とそれを支えるシステムを提供することである。【解決手段】景品を現金に交換する自動景品交換機において、(1)買い取り対象の景品を一括して挿入できる投入口を有する景品投入機構、(2)前記投入された景品の種別を自動判別する機構、(3)前記投入された景品の種類に応じて買い取り金額を計算し、金種計算を行い、最適な金種で現金を払い出す機構、(4)前記投入された景品の種別を自動判別した結果をディスプレイ画面に表示する機構、(5)前記投入された景品の種類に応じて選別して収納保管する景品収納スタッカ、を備えたことを特徴とする自動景品交換機である。【選択図】      図１
2005218599.tif 000002
【特許請求の範囲】
【請求項１】
景品を現金に交換する自動景品交換機において、
(1)買い取り対象の景品を一括して挿入できる投入口を有する景品投入機構、
(2)前記投入された景品の種別を自動判別する機構、
(3)前記投入された景品の種類に応じて買い取り金額を計算し、金種計算を行い、最適な金種で現金を払い出す機構、
(4)前記投入された景品の種別を自動判別した結果をディスプレイ画面に表示する機構、
(5)前記投入された景品の種類に応じて選別して収納保管する景品収納スタッカ、
を備えたことを特徴とする自動景品交換機。
【請求項２】
請求項１に記載の自動景品交換機において、
前記景品投入口を複数設け、複数トレー構造としたことを特徴とする自動景品交換機。
【請求項３】
請求項１に記載の自動景品交換機において、
前記自動景品交換機の前部に人体感知センサーを取り付け、客が該交換機の前に立った時点で機械が景品交換準備を行う機構を備えたことを特徴とする自動景品交換機。
【請求項４】
請求項１に記載の自動景品交換機において、
振動検知機構、ＧＰＳ機構を備え、異常時に通信回線で通報する機構を備えたことを特徴とする自動景品交換機。
【発明の詳細な説明】
【技術分野】
【０００１】
本発明は、遊技店が客に提供する景品を買い取る景品交換所に設置する景品を自動的に買い取る装置に関する。
【背景技術】
【０００２】
日本では競輪、競馬、競艇などの一部の公営ギャンブルを除いて、直接現金をやり取りする賭事は法律で禁止されている。パチンコは、元来娯楽として発達してきた遊技である。遊技の結果としての報酬は景品で与えられている。現在、パチンコ等の遊技場においては、ゲーム結果に応じて景品を提供している。その景品を古物商の免許を有する景品交換所が買い取り、その景品を問屋組織が買い取るというシステムが構築されている。遊技場、景品交換所、問屋組織はそれぞれ別の経営となっている。換金用景品としてはかつてはケースに入ったボールペンやライターなどが用いられたこともある。最近では地域で統一した景品交換システムができている。また、偽物を排除するために、換金用景品には買い取り価格とほぼ等価な金製の景品などが使われている例もある。
【０００３】
東京地域の場合、現在千円、二千五百円用の換金用景品が広く使われている。景品買い取り業者は千円用と二千五百円用の景品を、客の前で積み重ねて枚数を数え、それぞれの景品の枚数をキーボードから入力している。入力されたデータから、枚数とそれに応じた金額が客の見える位置に設置されたディスプレイに表示される。係員は、客に間違いがないかを確認させた後、景品の枚数に応じた金額を支払う。
【０００４】
景品交換機の発明としては、『パチンコ景品換金カード自動処理装置及び該管理システム』（特許文献１）がある。この発明においては、パチンコ景品換金カードに印刷された情報を光センサーで読み取り、その情報に応じて金額の払い出し、該カードの仕分け等を行っている。またパチンコ景品交換機を設定している交換所と本店とは通信回線で結ばれていて、該交換機の残高状況を本店で常時把握することによって、金銭の補充時期を管理している。
【０００５】
『現金自動支払装置及びこれに使用する景品カード』（特許文献２）では、パチンコ景品カードに金額を記録したホログラムと、背面に発行店などを表す符号を記録した磁気ストライプを使い、現金自動支払装置で前記景品カードの情報を読み取って現金を支払う装置を提案している。このほか、景品の情報にバーコードを使用したものとしては、『パチンコ店の特殊景品交換所におけるバーコード付き特殊景品を使用した換金システム』（特許文献３）がある。
【特許文献１】特開平６−７９０５２号公報
【特許文献２】特開平８−１０６５６２号公報
【特許文献３】特開平８−３３６６５８号公報
【発明の開示】
【発明が解決しようとする課題】
【０００６】
現在、景品交換所は景品買い取りの際、景品に添付された遊技場発行のレシートを確認するなどして、特定の遊技場の景品を確認して、買い取っている。景品交換所の店舗では人手によって景品を確認し、数え、買い取りを行っている。このため、昼過ぎ、夕方、閉店間際など客が集中した場合、買い取り処理が渋滞する。このため、景品の真偽などのチェックをすることが困難な状態になっている。
【０００７】
背景技術で見てきた公開特許では、景品交換を機械化することにより、交換処理の効率化や偽造防止を図っている。しかしながら、機械の故障時のバックアップや、機械の盗難あるいは破壊行為に対する対策が不十分である。
【０００８】
本発明が解決しようとする課題は、効率的に景品の現金化が行え、利用者に容易かつ安心して扱える自動景品交換機を提供すると供に、盗難防止や景品の偽物防止に強い景品交換機とそれを支えるシステムを提供することである。
【課題を解決するための手段】
【０００９】
発明が解決しようとする課題を解決するために、請求項１に記載された発明は、景品を現金に交換する自動景品交換機において、(1)買い取り対象の景品を一括して挿入できる投入口を有する景品投入機構、(2)前記投入された景品の種別を自動判別する機構、(3)前記投入された景品の種類に応じて買い取り金額を計算し、金種計算を行い、最適な金種で現金を払い出す機構、(4)前記投入された景品の種別を自動判別した結果をディスプレイ画面に表示する機構、(5)前記投入された景品の種類に応じて選別して収納保管する景品収納スタッカ、を備えたことを特徴とする自動景品交換機である。
【００１０】
請求項２に記載された発明は、請求項１に記載の自動景品交換機において、前記景品投入口を複数設け、複数トレー構造としたことを特徴とする自動景品交換機である。
【００１１】
請求項３に記載された発明は、請求項１に記載の自動景品交換機において、前記自動景品交換機の前部に人体感知センサーを備えたことを特徴とする自動景品交換機である。
【００１２】
請求項４に記載された発明は、請求項１に記載の自動景品交換機において、振動検知機構、ＧＰＳ機構を備え、異常時に通信回線で通報する機構を備えたことを特徴とする自動景品交換機である。
【００１３】
本発明の装置では、景品の種類に応じて選別して専用景品収納器具（専用スタッカ収納部）に蓄積する手段を備えている。また、左右一対のように複数の景品投入口を設けることで、複数トレー構造として、故障時のバックアップとすることができる。自動景品交換機の前部に人体感知センサーを取り付け、客が該交換機の前に立った時点で機械が景品交換準備を行うようにすることができる。自動景品交換機に盗難防止ユニットを取り付けたり、ビデオカメラを取り付けて、客の姿を撮影・録画するなどで盗難防止をはかる。
【００１４】
本発明の装置の説明において、「換金用景品」または「景品」と記した場合には景品（ケースに内封の商品）単独、または景品（商品）と景品（商品）を包むケースを含むものとし、内封の景品（商品）のみを表すときにはマーカーと呼ぶことにする。また自動景品交換機は単に「景品交換機」あるいは「交換機」と記述する。
【発明の効果】
【００１５】
本発明の装置は、以下のような特徴を有している。
・マーカーに買い取り価格と同等の価値を持たせ、不法買い取りを回避するとともに、偽造が容易に行えないようにする。
・前記マーカーは透明のラッピングケース（以降、“ケース”と記述）で内封し、ケースに予め暗号化されたバーコードと、リード・ライト可能な磁気テープを添付し、マーカー、バーコード、磁気テープで換金用景品の金額、発行店、景品の真偽等を判断する。なお、磁気テープがないシステムも可（マーカーとバーコードだけでも景品の種類と偽造の有無が判定できるため）。
・景品交換機には人体感知センサーを取り付け、客が該交換機の前に立ったとき、交換作業のための準備をする。
・景品交換機にはディスプレイ、スピーカを備え、客へのメッセージの表示や音声伝言を行い、客とのコミニュケーションの媒体として使用する。
・景品交換機の前面に景品投入口を設け、客による景品の投入を行えるようにする。投入された景品は光センサー（バーコード読取装置）でバーコードを読み、次に近接センサーでマーカーを検出し、さらに変位センサーでマーカーの変形具合を検出する。その結果は磁気リード・ライト装置でいったん磁気テープに書くとともに、該装置で予め書き込んである磁気テープ情報と前記結果を書き込んだ磁気テープ情報を読み取り、情報の相違や各センサーでの読み取り結果によって、景品収納ケースに導くか、リジェクト（排除）するかを決定する。なお、磁気リード・ライト装置を備えていない交換機でも、自動景品交換には支障はない。ただし、磁気テープに交換日時やどの交換機で交換したなどの情報があったほうが、検出内容の真偽の厳密性が保てるし、また後の処理には便利になる。
・投入された景品から読み取り結果によって、読み取った内容を個数と金額および合計をディスプレイに表示し、客に知らせる。
・客が交換機に対して意思表示が行えるように、ＹＥＳボタンおよびＮＯボタンを用意しておく。
・セキュリティのため、ＣＣＤカメラ、盗難防止ユニット、ＧＰＳ装置を自動景品交換機に取り付け、交換機管理会社（一般に景品問屋）やセキュリティ会社と通信回線で結び、前記の装置からの情報が常時入手できるようにして、犯罪防止を行う。
【発明を実施するための最良の形態】
【００１６】
発明の実施の形態を図を用いて説明する。図１は、本発明の自動景品交換機を外部から見た正面図、図２は側断面図、図３は扉を開いて内部の様子を見た背面図である。交換機1の正面には人体感知センサー1080が取り付けられていて、人が３０ｃｍ以内に近づくとセンサーが人を感知する。ＣＣＤカメラ1010はディスプレイ1020（モニター）の上部に配置し、人を撮影する。ＣＣＤカメラで撮影した人の映像をディスプレイに表示することもできる。人の顔をディスプレイに映し出し、客に映されていることを意識させることにより、防犯の役割も果たせる。ディスプレイにカラー液晶ディスプレイを使うことにより、電力の消費量を減らすことができ、また交換機のコンパクト化が図れる。ディスプレイの両側にスピーカ1030を配置し、交換機からのメッセージをディスプレイ表示だけでなく、音声でも伝えることができるようにしている。
【００１７】
ＹＥＳボタン1041、ＮＯボタン1042、紙幣排出口1043（紙幣払出口）、コイントレー1044（硬貨払出口）、景品投入口1045を総称して操作パネル1040とよぶ。操作パネルはディスプレイの下に配置してあるが、ＹＥＳボタン、ＮＯボタン、景品投入口1045は、紙幣排出口とコイントレーの左右に一対で配置する。左のＹＥＳボタン、ＮＯボタン、景品投入口を１レーン、右のＹＥＳボタン、ＮＯボタン、景品投入口を２レーンとよぶ。すなわち、交換機１台（１ユニット）で２レーン構成になっている。景品はどちらに投入してもよいが、万一、どちらかのレーンが故障した場合には片方のレーンで景品交換作業が行える。すなわち、２レーン構成でバックアップ機能を果たしている。また本発明では一時たりとも交換業務が停滞しないために、相互に通信可能な交換機を２台（２ユニット）単位で配置する（図４）。レーンの故障時、レーン交換はレーン単位で行える。レーン交換作業時も、他のレーンは景品交換業務は続行できる。ユニット化されているために、レーンの交換は約３０秒で行える。また両ユニットは通信ケーブルで接続されていて、片方のユニットが故障した場合には、もう一つのユニットで景品交換業務を続行できる。
【００１８】
客が簡単に操作できるように、客の意思表示のための操作ボタンはＹＥＳボタンとＮＯボタンのみにし、投入景品の個数や払戻金額の確認、あるいは払い戻し作業の中止などを、イエスかノーの返答のみで行えるようにしてある。景品（換金用景品）を景品投入口より投入すると、景品は搬送機構部1120（図２参照）に導かれるとともに、搬送機構部に沿って取り付けた近接センサー、光センサー（バーコード読取装置）、変形センサー、磁気テープリード・ライターで景品の情報を読み取る。読み取った情報のうち、景品個数と金額はディスプレイに表示する。読み取り処理を終えた景品は、搬送機構部1120とプッシャ部1140によって専用スタッカ収納部1130に搬送される。異常が検出された景品は、景品返却口1090より排出される。また客が払い戻し作業の中止を意思表示した場合、投入景品はすべて景品返却口1090に排出される。このため、前記の投入景品は、客の最終的意思決定が行われるまで、一時的にバッファスタッカ（図略）に保管される仕組みになっている。
【００１９】
払い戻しは金種計算され、最適な金種で紙幣は紙幣排出口1043に、硬貨はコイントレー1044に、それぞれ排出される。図３に示すように払い戻し金のうち、紙幣は紙幣金庫部1200に、硬貨はコインホッパー1170に、それぞれ収納しておく。紙幣金庫部は千円、五千円、一万円の三金種が使用でき、それぞれの金種は別個の紙幣金庫カートリッジボックス1203に収納されている。紙幣金庫カートリッジボックスは交換機背面より取り出せ、カートリッジごとに紙幣の収納が行える構造になっている。リジェクトボックス1202は、払い出し不能な紙幣を検出した場合に、払い出し不能紙幣を回収する収納箱である。これらの紙幣払い出し処理、払い出し不能紙幣の検出・回収等の制御は、紙幣金庫制御部1201で行っている。払い出す硬貨はコインホッパーに収納しておく。ホッパーの種類は百円用と五百円用の二種類が用意されている。制御は、コインホッパー制御部1171が行う。紙幣および硬貨の収納は交換機の各ユニットで１日分の払い戻しが行えることを基本とする。万一どちらかのユニットの紙幣あるいは硬貨が不足した場合でも、もう一つのユニットで対応できる。この間に、紙幣や硬貨の補足が行える。したがって紙幣や硬貨の補充時も、交換業務が途絶えることはない。
【００２０】
プリンタ1190は交換機の景品交換情報、稼動情報、保守情報をリアルタイムでプリントアウトし、前記の各履歴情報を記録しおくものである。オープンネットコントローラ1180はプリンタの記録内容や機器のエラー情報等を、指定の場所にデータ転送する機能を有している。プリンタ内容の送信は、アクセスをかけられた場合のみ行う（ダイヤルアップ方式によるデータ転送）。エラーデータに関しては、トラブルが発生した場合のみデータ送信を行う。
【００２１】
プッシャ部1140は、搬送機構部1120より排出された景品を自然落下あるいはベルト搬送により、指定された専用スタッカ収納部1130まで移動する搬送経路を有し、景品を指定されたスタッカに収納する機能を持っている。このプッシャ部も左右一対に配置されていて、どちらかが故障しても、交換機の交換業務に支障をきたさないようになっている。なお、アジャスタ1150は交換機本体の上下調整を行うもので、本体底部に４個所設けてある。
【００２２】
客とのコミュニケーションに使われるのが、ディスプレイ1020とスピーカ1030である。一方、客の意思表示（交換機への応答）はＹＥＳ／ＮＯボタン1041、1042で行う。ディスプレイに表示する内容には以下のようなものがある。まず一連の交換処理のメッセージとして次のようなものが表示される。
・いらっしゃいませ。
・指示に従って、操作してください。
・景品の方向を揃えて投入して下さい。
・投入が終わりましたら「ＹＥＳ」ボタンを押して下さい。
・ただ今、景品の交換処理を行っています。
・しばらくお待ち下さい。
・ただ今、景品の計算処理をしています。しばらくお待ち下さい。
・交換景品に対する金種・個数・個別金額・合計金額・返却景品数・日時等の表示（図５参照）。
・表示された金額で精算される方は「ＹＥＳ」ボタンを、精算されない方は「ＮＯ」ボタンを押して下さい（図５参照）。
・現金をお取り下さい。
・現金の取り忘れにご注意下さい。
・ありがとうございました。
以上は順調に交換処理が行われた場合であるが、何らかのトラブルが発生した場合のメッセージとしては次のようなものがある。
・交換機に故障が発生しました。隣の交換機から支払われますので、しばらくお待ち下さい。
・投入された景品を取り出し、方向を揃え直して下さい。
・恐れ入ります。返却された景品はホールへお持ち下さい。
・ただ今、係員が参りますので、そのままお待ち下さい。
その他、以下のような表示も行う。
・電源投入時における自己診断モニター表示。
・交換所のイメージデザイン表示。
・ＣＣＤカメラで撮影した客の姿や顔の表示（オプション）。
【００２３】
表示は音声ガイダンス機能（スピーカからの音声伝言）と並行して進行する。図５の例にもあるように、精算時の画面は上下２分割して行われる。すなわち、客は分割画面上部に表示の、交換景品に対する金種・個数・個別金額・合計金額・返却景品数・日時を確認し、次の操作を分割画面下部のメッセージで確かめ、イエス／ノーの操作を行うことになる。トラブル発生時のメッセージ（「交換機に故障が発生しました。隣の交換機から支払われますので、……」）にもあるように、本発明では交換機２台（２ユニット）でのバックアップ行っているために、交換時に片方（１ユニット）が故障しても、もう一つのユニットで払い戻しが一連の流れとして継続される。
【００２４】
客を感知するのが人体感知センサー1080で、客が３０ｃｍの距離に近づいた時点で人体を感知し、自動的に機器の動作が始動し、「いらっしゃいませ」のメッセージ表示と、自動的に景品投入口1045のシャッタの開口を行う。この際の開口時間は１０秒（この時間は自由設定可）であり、この間に景品が投入されない場合、１０秒後に自動的にいったんシャッタは閉じる。景品の投入完了、景品交換の可否、再動作等は、客の意思表示で決定するもので、ＹＥＳボタン／ＮＯボタンで決まる。
【００２５】
図６は、換金用景品2のマーカー2010とラッピングケース2100を示している。景品2のマーカーは換金される金額と同等の価値を有するメダル状の品物であり、ケース（ラップ）で内封される。ケースの2110部はケースの上部となる部分で、磁気テープ2111が貼られている。2130部はケースの下部となる部分で、バーコード2131が印刷されている。マーカーはケースに包まれた形（内封）になる。金額は基本的にマーカーで決まるが、バーコードや磁気テープと併用することによって景品の真偽や妥当性が判断される。また景品発行店名や発行日時等の情報もバーコードや磁気テープに記録しておくことができ、換金の是非を判断する材料として使うことも可能である。なおバーコードに人の目には見えない特殊インクで印刷したステルスバーコードを使用することで、バーコードの不正コピーの防止に役立てることができる。
【００２６】
交換機は通信回線（電話回線）でセキュリティ会社や交換機管理会社に接続されていていて、故障、トラブルの発生、盗難時の対応を速やかに取れるようにしてある。ＣＣＤカメラによる客の映像も録画あるいは通信回線で前記の会社に送信し、監視あるいは録画することによって、防犯の働きをする。ＣＣＤカメラの録画あるいは送信は、基本的に人体感知センサーが人体を管理した時点で稼動する。自動景品交換機に盗難防止ユニットを取り付け、機器に振動やショックを与えた得られた場合に盗難防止ユニットにより、自動的にセキュリティ会社に通報される。また、交換機ごと運び去られたときには、機器本体内のＧＰＳ機能が働き、機器の所在場所を随時セキュリティ会社に送信される。この場合は、電波によるデータ送信となる。したがって、交換機内にはバッテリが内蔵されている。なお停電時の電源補給はバックアップ電源部（ＵＰＳ）で行う。雷による一時的な停電や電圧低下などの突発的な事故に対しも、ＵＰＳによって安定した稼動が行えるようになっている。
【００２７】
図７は、本発明の景品の流れと情報の流れを表した全体のシステム構成図である。まず景品2の流れは、以下のようになる。
・客がホールP1（パチンコ店）から獲得した景品は、交換所P2に持ち込まれる。
・客は景品を景品交換機1で現金化する。
・交換所に蓄積された景品は、交換機管理会社P3（一般に問屋）が回収する。このとき、交換機に現金3を補充する。基本的に１日１回の処理となる。
・回収した景品は、ホールに納品される。
【００２８】
以上は景品の流れであるが、情報の流れは以下のようになっている。
・トラブル発生時あるいは交渉発生時などの緊急の場合、交換機からの信号が通信回線9（電話回線）を介して景品・交換機管理会社P3あるいはセキュリティ会社P4に送信される。この信号をもとに、管理会社あるいはセキュリティ会社が何らかの行動をとることになる。もちろん、必ずしも行動を起こす必要のない信号送信（情報送信）もある。例えば、ＣＣＤカメラの画像を送信し、管理会社あるいはセキュリティ会社で録画保存するような場合である。
・交換機1´が交換機ごと盗難に遭ったような場合、交換機に取り付けてあるＧＰＳが働き、交換機の位置を常時、通信衛星Sを介して電波8でセキュリティ会社と管理会社P3に知らせる。これによって、盗難交換機1´を積み込んだ犯人の車P5の位置を把握することができる。
【産業上の利用可能性】
【００２９】
本発明は、パチンコ等の遊技機の自動景品交換機に関するものである。本景品交換機を導入することにより、現在一般に行われている人手による景品交換（換金）に比べ、迅速かつ確実な景品交換が行える。迅速、確実とは具体的に、従業員による不正行為の防止、景品業務の簡素化などである。これにより、納品業務の時間短縮と人的ミスの排除、景品回収・納品業務の簡素化、景品振分作業の軽減、管理経費の削減、景品スペースの削除（景品を薄型にできるため）、輸送コストの削減、完全無人化の景品交換業務、景品種別の種類別格納などの効果が得られる。とくに現在の人手による景品交換では、換金用景品の真偽を確かめることが難しく、またほとんどなされていないのが実情である。これに対して本発明ではいくつかの仕組みで景品の真偽チェックを行っているために、偽造防止による交換所やパチンコ店の損失を回避することができる。以上の効果によって、各業者の経営安定が確立できる。
【００３０】
本発明のもう一つの特徴は、バックアップ機能の強化にある。１台の交換機（１ユニット）で２レーン方式をとり、しかも２台（２ユニット）構成で配置する形態をとるために、交換業務の停止がほとんどなく、客に迷惑をかけることもない。万一、どれかのレーンあるいはどちらかのユニットで故障が発生しても、他のレーンあるいはユニットでの対応が取れるようになっているからである。またレーン自体もユニット化しているために、故障レーンが発生しても、その情報は通信回線を通じて管理会社に知らされるし、故障レーンの復旧もレーン単位の入れ替え（交換）で行えるために、約３０秒という速さで復旧できる。
【００３１】
最近は金融機関のＡＴＭ機が、ＡＴＭ機ごと盗難に遭うという荒っぽい犯罪が増えている。本交換機には盗難防止ユニットを取り付けているために、交換機に外部からの振動やショックを与えた場合には、その情報がすぐにセキュリティ会社や管理会社に伝えられ、素早い対応が取れるようになっている。また交換機に設置のＣＣＤカメラにより、状況の把握や犯人逮捕のための情報が記録できる点も本発明の特徴である。また仮に交換機そのものを奪われても、交換機に設置のＧＰＳ機能によって、盗難交換機の行方をリアルタイムに追うことができる。
【図面の簡単な説明】
【００３２】
【図１】本発明の自動景品交換機の外観正面図である。
【図２】本発明の自動景品交換機の側断面図である。
【図３】本発明の自動景品交換機の外観背面図である。
【図４】本発明の自動景品交換機の２ユニット構成を示す外観正面図である。
【図５】本発明の自動景品交換機での換金時に画面に表示されるメッセージの説明図である。
【図６】本発明の自動景品交換機で使われる換金用景品の説明図である。
【図７】本発明の自動景品交換機を用いた場合の、情報と物の流れを説明するためのシステム構成図である。
【符号の説明】
【００３３】
１        自動景品交換機
１´      盗難に遭った自動景品交換機
１０１０  ＣＣＤカメラ
１０２０  ディスプレイ（モニター）
１０３０  スピーカ
１０４０  操作パネル
１０４１  ＹＥＳボタン
１０４２  ＮＯボタン
１０４３  紙幣排出口（紙幣払出口）
１０４４  コイントレー（硬貨払出＜排出＞口）
１０４５  景品投入口
１０７０  ロゴプレート
１０８０  人体感知センサー
１０９０  景品返却口
１１００  アンダースカートカバー
１１１０  背面扉
１１２０  搬送機構部
１１３０  専用スタッカ収納部
１１４０  プッシャ部
１１５０  アジャスタ
１１６０  シーケンサ制御部
１１７０  コインホッパー（硬貨収納払出装置）
１１７１  コインホッパー制御部
１１８０  オープンネットコントローラ
１１９０  プリンタ
１２００  紙幣金庫部
１２０１  紙幣金庫制御部
１２０２  リジェクトボックス
１２０３  紙幣金庫カートリッジボックス
２        換金用景品
２０１０  マーカー（商品、景品本体）
２１００  ケース（ラップ、ラッピングケース）
２１１０  ケース上部
２１１１  磁気テープ
２１２０  ケース中央部
２１３０  ケース下部
２１３１  バーコード
３        現金（紙幣、硬貨）
８        電波
９        通信回線（電話回線）
Ｐ１      ホール（パチンコ店）
Ｐ２      景品交換所
Ｐ３      交換機管理会社（管理会社、一般に景品問屋）
Ｐ４      セキュリティ会社
Ｐ５      交換機を盗んで移動中の自動車
Ｓ        通信衛星
【図１】
2005218599.tif 000003
【図２】
2005218599.tif 000004
【図３】
2005218599.tif 000005
【図４】
2005218599.tif 000006
【図５】
2005218599.tif 000007
【図６】
2005218599.tif 000008
【図７】
2005218599.tif 000009